(57)【特許請求の範囲】
【請求項１】
Ｌ字状で熱伝導の良い部材からなる熱伝導材と、熱を発生する発熱材を一体に形成した融雪部材を屋根上に形成したことを特徴とする雪止兼融雪構造。
【発明の詳細な説明】
【０００１】
【発明の属する技術分野】
本発明は、新築外装材（屋根）、既存の外装材（屋根）等に雪止機能と融雪機能を付加できる雪止兼融雪構造に関するものである。
【０００２】
【従来の技術】
従来、屋根等の外装に取り付ける雪止としては、アングル（山形綱）用雪止によりアングルを取り付ける方法、雪止金具を取り付ける方法、等により形成していた。
【０００３】
【発明が解決しようとする課題】
しかしながら、雪止に融雪機能を付加したものは存在しなかった。
【０００４】
【課題を解決するための手段】
本発明はこのような欠点を除去するため、Ｌ字状で熱伝導の良い部材からなる熱伝導材と、熱を発生する発熱材を一体に形成した融雪部材を屋根上に形成した雪止兼融雪構造を提供するものである。
【０００５】
【発明の実施の形態】
以下に図面を用いて本発明に係る雪止兼融雪構造について詳細に説明する。図１（ａ）〜（ｃ）は本発明に係る雪止兼融雪構造に使用する融雪部材Ａ、伝導材Ｂ、発熱材Ｃ、支持金具Ｄを示す断面図である。図２（ａ）、（ｂ）、図３（ａ）、（ｂ）は雪止兼融雪具Ｅを示す説明図、図４（ａ）、（ｂ）は屋根材Ｆと屋根材Ｆの施工状態を示す説明図、図５（ａ）、（ｂ）、図６（ａ）、（ｂ）は融雪具Ｅの施工状態を示す説明図である。また、αは下地、βは釘等の固定具を示している。
【０００６】
下地αは、新築の際は図４（ｂ）に示すように垂木、野地板、防水シート（一点鎖線で示す）から構成した木造下地を示したものである。すなわち、垂木上に野地板を敷設し、野地板上に防水シートを配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、改修屋根の際には、これらに瓦（和瓦）、新生瓦（洋瓦）、金属製瓦棒屋根、金属製横葺屋根、等の既存屋根（図示せず）が含まれる構造である。
【０００７】
融雪部材Ａは伝導材Ｂと発熱材Ｃよりなるものであり、発熱材Ｃにより暖められた伝導材Ｂにより屋根上に積もった雪、降った雪を溶かすためのものである。
【０００８】
熱伝導材Ｂは、例えば図１（ａ）に示すように、辺１、辺２よりなるＬ形のアングル（山形鋼）に形成し、内部に孔３を有する長尺状部材である。また、熱伝導材Ｂは熱を効率よく伝導（伝搬）するものであり、その素材としては、例えば金属材である。勿論、耐候性・強度等の面で、各種材料を組み合わせた複合材でも使用可能である。また、その他の熱伝導材Ｂとしては、Ｈ形鋼、Ｉ形鋼、ミゾ形鋼、軽量ミゾ形鋼、リップ溝形鋼、等辺山形鋼、不等辺山形鋼、等よりなるものでもよいものである。
【０００９】
発熱材Ｃは熱伝導材Ｂを加熱し、屋根上に積もった雪、降った雪を溶かすためのものであり、例えば図１（ｂ）に示すように熱伝導材Ｂの孔３内に挿入するものである。発熱材Ｃの一実施例としては、融雪ヒータよりなるものであり、図示しないがコネクターにより接続し、融雪ヒータに通電して融雪ヒータを発熱させ、この熱により屋根に積もった雪、降った雪を溶かし、排水するものである。勿論、スイッチのオン・オフは家屋内に形成した制御盤により制御でき、手動、あるいは降雪センサー、積雪量感知センサー、等のセンサーを利用してオン・オフし、作動させるものである。勿論、発熱材Ｃは熱伝導材Ｂを加熱できる機能が有れば良く、特に限定されるものではない。
【００１０】
支持金具Ｄは融雪部材Ａを屋根上に固定するためのものであり、複数個により図２（ｂ）、図３（ｂ）に示すように熱伝導材Ｂを支持するものである。その一例としては、平面状の面４と、面４の一端を後記する屋根材Ｆの連結部形状に合わせて突出した固定片５と、面４の他端を上方に突出した垂直片６と、垂直片６の先端を内方に傾斜して突出した傾斜片７と、面４と垂直片６と傾斜片７とから形成した支持空間８と、傾斜片７の先端を面４に沿って突出した固定面９と、面４と固定面９を一体化するリベットＲとから形成した短尺状部材である。なお、図２（ａ）、（ｂ）は屋根材Ｆが瓦棒葺き屋根材、図３（ａ）、（ｂ）は屋根材Ｆが横葺き屋根材であるの場合に使用する支持金具Ｄを示すものである。
【００１１】
支持金具Ｄの素材としては、例えば金属板（鋼、銅、アルミニウム、チタン、ステンレス、鉛、真鍮、サンドイッチ鋼板、クラッド鋼板等）等をプレス成形、押出成形、ロール成形、等によって形成したもの、あるいは窯業系素材、もしくは合成樹脂材（プラスチック）、もしくはこれら材料の複合材、等よりなるものである。
【００１２】
固定片５は図５（ａ）、（ｂ）、図６（ａ）、（ｂ）に示すように下地αに固定具βにより打設して支持金具Ｄを固定する部分である。支持空間８は図２（ｂ）、図３（ｂ）、図５（ａ）、（ｂ）、図６（ａ）、（ｂ）に示すように、融雪部材Ａを複数個の支持金具Ｄにより固定するために融雪部材Ａを挿入する部分であり、融雪部材Ａの形状により各種変形して形成される部分である。勿論、下地α上に形成する屋根材Ｆの形状により、支持金具Ｄは各種形状に加工されるものであり、限定されるものではない。また、下地αが瓦棒葺き屋根材の場合には、瓦棒アングル止、等の既製品の支持金具Ｄを使用して、瓦棒葺き屋根材の立ち上がり部分に固定することもできるものである。
【００１３】
また、１ａは雪止片、１ｂは溝であり、雪止片１ａは図２（ｂ）、図５（ａ）、（ｂ）に示すように、瓦棒葺き屋根材の凹溝部分で雪止として機能するように、凹溝の巾に対応して切り込みを形成し、溝１ｂ部分より折り曲げて形成する部分である。
【００１４】
屋根材Ｆの代表例として示す金属製屋根材Ｇは、図４（ａ）、（ｂ）に示すようなものであり、例えば金属板（カラー鋼板、銅板、アルミニウム板、チタン板、ステンレス板、サンドイッチ鋼板、クラッド鋼板等）等をロール成形、プレス成形、押出成形、等によって形成したもの、あるいは窯業系素材、もしくは合成樹脂材（プラスチック）、等である。勿論、屋根材Ｆは、裏打材Ｈを削除した金属製屋根材Ｇのみでも使用可能である。また、その種類としては横葺き屋根材、瓦棒葺き屋根材、瓦（和瓦）、新生瓦（洋瓦）、スレート系屋根材（スレート屋根）、プレス成形屋根材（プレス成形瓦屋根）、等である。
【００１５】
さらに説明すると、金属製屋根材Ｇは長尺板状であり、その幅方向一側縁を化粧面１０の下側、すなわち、裏面１１側に略コ字状に屈曲して段差化粧面１２と、段差化粧面１２の下端を内側方に突出した差込縁１３と、化粧面１０と段差化粧面１２と差込縁１３とから略コ字状に形成した引っ掛け溝１４とから雄型連結部１５を形成したものである。
【００１６】
また、化粧面１０の他端には化粧面１０の上側に屈曲して断面略Ｕ字状に形成した前記差込縁１３と嵌合する嵌合溝１６と、嵌合溝１６の先端をコ字状に折り返した嵌合縁１７と、嵌合縁１７の先端を下方に屈曲すると共に化粧面１０と略平行で外方にＬ字状に屈曲して延長した固定片１８とから雌型連結部１９を形成したものである。
【００１７】
さらに、長手方向の強度の強化と、外部からの雨水等が毛細管現象により内部に浸入するのを防止する意味で、差込縁１３と嵌合縁１７に凹条２０、凹条２１を形成している。
【００１８】
また、嵌合縁１７には凸条を形成したものであり、この凸条２２は図３（ｂ）に示すように施工された時点で、防水層、気密層として機能するものである。
【００１９】
裏打材Ｈは断熱材、吸音材、緩衝材、防火材、結露防止材、等として機能するものであり、不織布、合成樹脂発泡体、ロックウール、テックス（軟質繊維板）、ゴムシート、樹脂シート、等よりなるものである。
【００２０】
勿論、形成段数、位置等は任意である。
【００２１】
以上説明したのは本発明に係る雪止兼融雪構造の一実施例であり、熱伝導材Ｂを図７（ａ）〜（ｃ）〜図９（ａ）、（ｂ）に示すように形成したり、支持金具Ｄを図１０（ａ）〜（ｃ）〜図１６（ａ）、（ｂ）に示すように形成したりすることもできるものである。
【００２２】
【発明の効果】
以上説明したように、本発明に係る雪止兼融雪構造によれば、▲１▼融雪と雪止の両方の機能を有する。▲２▼熱効率がよい。▲３▼強度がある。等の特徴、効果がある。
【図面の簡単な説明】
【図１】本発明に係る雪止兼融雪構造に使用する部材の代表的一例を示す説明図である。
【図２】本発明に係る雪止兼融雪構造に使用する部材とその施工状態の代表的一例を示す説明図である。
【図３】本発明に係る雪止兼融雪構造に使用する部材とその施工状態の代表的一例を示す説明図である。
【図４】本発明に係る雪止兼融雪構造に使用する屋根材とその施工状態の代表的一例を示す説明図である。
【図５】本発明に係る雪止兼融雪構造の代表的一例を示す説明図である。
【図６】本発明に係る雪止兼融雪構造の代表的一例を示す説明図である。
【図７】本発明に係る雪止兼融雪構造に使用する熱伝導材のその他の実施例を示す説明図である。
【図８】本発明に係る雪止兼融雪構造に使用する熱伝導材のその他の実施例を示す説明図である。
【図９】本発明に係る雪止兼融雪構造に使用する熱伝導材のその他の実施例を示す説明図である。
【図１０】本発明に係る雪止兼融雪構造に使用する支持金具のその他の実施例を示す説明図である。
【図１１】本発明に係る雪止兼融雪構造に使用する支持金具のその他の実施例を示す説明図である。
【図１２】本発明に係る雪止兼融雪構造に使用する支持金具のその他の実施例を示す説明図である。
【図１３】本発明に係る雪止兼融雪構造に使用する熱伝導材のその他の実施例を示す説明図である。
【図１４】本発明に係る雪止兼融雪構造に使用する支持金具のその他の実施例を示す説明図である。
【図１５】本発明に係る雪止兼融雪構造に使用する支持金具のその他の実施例を示す説明図である。
【図１６】本発明に係る雪止兼融雪構造に使用する支持金具のその他の実施例を示す説明図である。
【符号の説明】
α  下地
β  固定具
Ａ  融雪部材
Ｂ  熱伝導材
Ｃ  発熱材
Ｄ  支持金具
Ｅ  雪止兼融雪具
Ｆ  屋根材
Ｇ  金属製屋根材
Ｈ  裏打材
Ｒ  リベット
１  辺
１ａ  雪止片
１ｂ  溝
２  辺
３  孔
４  面
５  固定片
６  垂直片
７  傾斜片
８  支持空間
９  固定面
１０  化粧面
１１  裏面
１２  段差化粧面
１３  差込縁
１４  引っ掛け溝
１５  雄型連結部
１６  嵌合溝
１７  嵌合縁
１８  固定片
１９  雌型連結部
２０  凹条
２１  凹条
２２  凸条
【図１】
0004014197.tif 000002
【図２】
0004014197.tif 000003
【図３】
0004014197.tif 000004
【図４】
0004014197.tif 000005
【図５】
0004014197.tif 000006
【図６】
0004014197.tif 000007
【図７】
0004014197.tif 000008
【図８】
0004014197.tif 000009
【図９】
0004014197.tif 000010
【図１０】
0004014197.tif 000011
【図１１】
0004014197.tif 000012
【図１２】
0004014197.tif 000013
【図１３】
0004014197.tif 000014
【図１４】
0004014197.tif 000015
【図１５】
0004014197.tif 000016
【図１６】
0004014197.tif 000017